(57)【要約】【課題】汎用データ通信用のインタフェースとして低速な通信インタフェースしか用いることができない装置への静止画像の転送を速やかに行う「情報処理システム及びインタフェース装置」を提供する。【解決手段】インタフェース装置２はモバイル装置３から転送された静止画像５１０を含めた画像フレーム５００を生成し（Ｓ５０４）、生成した画像フレーム５００を繰り返すビデオのHDMIを用いたストリーミングを開始し（Ｓ５０５）、静止画像５１０の画像フレーム５００中の座標範囲を表す静止画像座標情報を低速インタフェースポート２０２を介して車載装置１に送信する（Ｓ５０６）。車載装置１は、HDMIでインタフェース装置２からストリーミングされているビデオを構成する画像フレーム５００の、静止画像座標情報が示す座標範囲内の画像部分を静止画像５１０として抽出し（Ｓ５０７）、モバイル装置３から取得した静止画像５１０とする。【選択図】図５
2016076768.tif 000002
【特許請求の範囲】
【請求項１】
第１の装置と第２の装置とを備え、前記第１の装置と前記第２の装置とが、双方向のデータ通信に汎用的に用いることのできる第１の通信インタフェースと、前記第２の装置から第１の装置へのビデオのリアルタイムな転送に用いられる第２の通信インタフェースとで接続されている情報処理システムであって、
前記第２の装置は、
前記第１の装置から前記第１の通信インタフェースを介して転送を要求された静止画像を各画像フレームの一部として共通に含めたビデオを前記第２の通信インタフェースを介して前記第１の装置に転送するビデオ化転送手段と、
前記ビデオ化転送手段が転送するビデオの画像フレーム中の前記静止画像の部分の座標範囲を表す座標範囲情報を前記第１の通信インタフェースを介して前記第１の装置に送信する座標範囲情報通知手段とを有し、
前記第１の装置は、
前記第１の通信インタフェースを介して前記第２の装置に前記静止画像の転送を要求する静止画像要求手段と、
前記第２の通信インタフェースを介して前記第２の装置から転送されたビデオの画像フレームの、前記第１の通信インタフェースを介して前記第２の装置から受信した前記座標範囲情報が示す座標範囲中の部分を、前記転送を要求した静止画像として抽出する静止画像抽出手段とを有することを特徴とする情報処理システム。
【請求項２】
請求項１記載の情報処理システムであって、
前記第２の装置は第３の装置と第３の通信インタフェースで接続可能であり、
前記第２の装置は、前記第１の装置から前記第１の通信インタフェースを介して静止画像の転送を要求されたときに、前記第３の通信インタフェースを介して前記第３の装置から転送を要求された静止画像を取得する静止画像取得手段を有し、
前記第２の装置の前記ビデオ化転送手段は、前記静止画像取得手段が前記第３の装置から取得した静止画像を各画像フレームの一部として共通に含めたビデオを前記第２の通信インタフェースを介して前記第１の装置に転送することを特徴とする情報処置装置。
【請求項３】
第１の装置と、双方向のデータ通信に汎用的に用いることのできる第１の通信インタフェースと、前記第１の装置とへのビデオのリアルタイムな転送に用いられる第２の通信インタフェースとで接続され、かつ、第３の装置と第３の通信インタフェースで接続可能なインタフェース装置であって、
前記第１の装置から前記第１の通信インタフェースを介して、前記第３の装置に記憶されている静止画像の転送を要求されたときに、前記第３の通信インタフェースを介して前記第３の装置から転送を要求された静止画像を取得する静止画像取得手段と、
前記静止画像取得手段が前記第３の装置から取得した静止画像を各画像フレームの一部として共通に含めたビデオを前記第２の通信インタフェースを介して前記第１の装置に転送するビデオ化転送手段と、
前記ビデオ化転送手段が転送するビデオの画像フレーム中の前記静止画像の部分の座標範囲を表す座標範囲情報を前記第１の通信インタフェースを介して前記第１の装置に送信する座標範囲情報通知手段とを有することを特徴とするインタフェース装置。
【請求項４】
ＡＶ装置とインタフェース装置とを備え、前記ＡＶ装置と前記インタフェース装置とが、双方向のデータ通信に汎用的に用いることのできる第１の通信インタフェースと、前記インタフェース装置から前記ＡＶ装置へのビデオとオーディオのストリーミングに用いられる第２の通信インタフェースとで接続され、前記インタフェース装置は、楽曲と前記楽曲と関連づけられた静止画像とを記憶したモバイル装置と第３の通信インタフェースで接続可能な情報処理システムであって、
前記インタフェース装置は、
前記ＡＶ装置から前記第１の通信インタフェースを介して、前記モバイル装置に記憶されている楽曲の再生を要求されたときに、前記第３の通信インタフェースを介して前記モバイル装置から転送を要求された楽曲を取得し、取得した楽曲を前記第２の通信インタフェースを介して前記ＡＶ装置にストリーミングする楽曲ストリーミング手段と、
前記ＡＶ装置から前記第１の通信インタフェースを介して、前記モバイル装置に記憶されている静止画像の転送を要求されたときに、前記第３の通信インタフェースを介して前記モバイル装置から転送を要求された静止画像を取得する静止画像取得手段と、
前記静止画像取得手段が前記モバイル装置から取得した静止画像を各画像フレームの一部として共通に含めたビデオを前記第２の通信インタフェースを介して前記ＡＶ装置にストリーミングするビデオ化転送手段と、
前記ビデオ化転送手段がストリーミングするビデオの画像フレーム中の前記静止画像の部分の座標範囲を表す座標範囲情報を前記第１の通信インタフェースを介して前記ＡＶ装置に送信する座標範囲情報通知手段とを有し、
前記ＡＶ装置は、
前記第１の通信インタフェースを介して前記インタフェース装置に前記モバイル装置に記憶されている楽曲の再生を要求する再生要求手段と、
前記第２の通信インタフェースを介して前記インタフェース装置からストリーミングされた楽曲を再生出力する再生出力手段と、
前記第１の通信インタフェースを介して前記インタフェース装置に前記モバイル装置に記憶されている前記静止画像の転送を要求する静止画像要求手段と、
前記第２の通信インタフェースを介して前記インタフェース装置からストリーミングされたビデオの画像フレームの、前記第１の通信インタフェースを介して前記インタフェース装置から受信した前記座標範囲情報が示す座標範囲中の部分を、前記転送を要求した静止画像として抽出する静止画像抽出手段とを有することを特徴とする情報処理システム。
【請求項５】
請求項４記載の情報処理システムであって、
前記第２の通信インタフェースを介した前記インタフェース装置から前記ＡＶ装置へのビデオのストリーミングは、前記第２の通信インタフェースを介した前記インタフェース装置から前記ＡＶ装置への楽曲のストリーミングと並行して行われることを特徴とする情報処理システム。
【発明の詳細な説明】
【技術分野】
【０００１】
本発明は、二つの装置間で静止画像を転送する技術に関するものである。
【背景技術】
【０００２】
二つの装置間で静止画像を転送する技術としては、USBなどの、データの転送一般に汎用的に用いることのできる汎用通信インタフェースを用いて二つの装置間で静止画像を転送する技術が知られている（たとえば、特許文献１）。
【先行技術文献】
【特許文献】
【０００３】
【特許文献１】特開2006-252734号公報
【発明の概要】
【発明が解決しようとする課題】
【０００４】
二つの装置間の汎用の通信インタフェースとして、低速な汎用通信インタフェースしか用いることができない場合、汎用通信インタフェースを用いて静止画像の転送を行うと当該転送に長時間を要してしまうこととなる。
【０００５】
そこで、本発明は、汎用データ通信用のインタフェースとして低速な通信インタフェースしか用いることができない二つの装置間の静止画像の転送を、より速やかに行うことを課題とする。
【課題を解決するための手段】
【０００６】
前記課題達成のために、本発明は、第１の装置と第２の装置とを備え、前記第１の装置と前記第２の装置とが、双方向のデータ通信に汎用的に用いることのできる第１の通信インタフェースと、前記第２の装置から第１の装置へのビデオのリアルタイムな転送に用いられる第２の通信インタフェースとで接続されている情報処理システムにおいて、前記第２の装置に、前記第１の装置から前記第１の通信インタフェースを介して転送を要求された静止画像を各画像フレームの一部として共通に含めたビデオを前記第２の通信インタフェースを介して前記第１の装置に転送するビデオ化転送手段と、前記ビデオ化転送手段が転送するビデオの画像フレーム中の前記静止画像の部分の座標範囲を表す座標範囲情報を前記第１の通信インタフェースを介して前記第１の装置に送信する座標範囲情報通知手段と備え、前記第１の装置に、前記第１の通信インタフェースを介して前記第２の装置に前記静止画像の転送を要求する静止画像要求手段と、前記第２の通信インタフェースを介して前記第２の装置から転送されたビデオの画像フレームの、前記第１の通信インタフェースを介して前記第２の装置から受信した前記座標範囲情報が示す座標範囲中の部分を、前記転送を要求した静止画像として抽出する静止画像抽出手段とを備えたものである。
【０００７】
以上のような情報処理システムによれば、第１の装置の双方向のデータ通信に汎用的に用いることのできる第１の通信インタフェースが低速な通信インタフェースであっても、第２の装置から第１の装置に、静止画像を、ビデオのリアルタイムな転送に用いることができる程度に高速な第２の通信インタフェースを用いて、ビデオに静止画像を含める形態で高速に転送することができる。
【０００８】
ここで、このような情報処理システムは、前記第２の装置を、第３の装置と第３の通信インタフェースで接続可能な装置とすると共に、前記第２の装置に、前記第１の装置から前記第１の通信インタフェースを介して静止画像の転送を要求されたときに、前記第３の通信インタフェースを介して前記第３の装置から転送を要求された静止画像を取得する静止画像取得手段を設け、記第２の装置の前記ビデオ化転送手段において、前記静止画像取得手段が前記第３の装置から取得した静止画像を各画像フレームの一部として共通に含めたビデオを前記第２の通信インタフェースを介して前記第１の装置に転送するように構成してもよい。
【０００９】
このようにすることにより、第１の装置の双方向のデータ通信に汎用的に用いることのできる第１の通信インタフェースが低速な通信インタフェースであっても、第３の通信インタフェースが高速な通信インタフェースである場合には、第３の装置から第２の装置に静止画像を高速に転送することができるようになる。
【００１０】
また、本発明は、以上のような情報処理システムの構築に第２の装置としてもちいることのできるインタフェース装置も提供する。ここで、インタフェース装置は、第１の装置と、双方向のデータ通信に汎用的に用いることのできる第１の通信インタフェースと、前記第１の装置とへのビデオのリアルタイムな転送に用いられる第２の通信インタフェースとで接続され、かつ、第３の装置と第３の通信インタフェースで接続可能なものとする。また、インタフェース装置には、前記第１の装置から前記第１の通信インタフェースを介して、前記第３の装置に記憶されている静止画像の転送を要求されたときに、前記第３の通信インタフェースを介して前記第３の装置から転送を要求された静止画像を取得する静止画像取得手段と、前記静止画像取得手段が前記第３の装置から取得した静止画像を各画像フレームの一部として共通に含めたビデオを前記第２の通信インタフェースを介して前記第１の装置に転送するビデオ化転送手段と、前記ビデオ化転送手段が転送するビデオの画像フレーム中の前記静止画像の部分の座標範囲を表す座標範囲情報を前記第１の通信インタフェースを介して前記第１の装置に送信する座標範囲情報通知手段とを備える。
【００１１】
また、本発明は、より具体的には、ＡＶ装置とインタフェース装置とを備え、前記ＡＶ装置と前記インタフェース装置とが、双方向のデータ通信に汎用的に用いることのできる第１の通信インタフェースと、前記第２の装置から第１の装置へのビデオとオーディオのストリーミングに用いられる第２の通信インタフェースとで接続され、前記インタフェース装置は、楽曲と前記楽曲と関連づけられた静止画像とを記憶したモバイル装置と第３の通信インタフェースで接続可能な情報処理システムを提供する。ここで、前記インタフェース装置は、前記ＡＶ装置から前記第１の通信インタフェースを介して、前記モバイル装置に記憶されている楽曲の再生を要求されたときに、前記第３の通信インタフェースを介して前記モバイル装置から転送を要求された楽曲を取得し、取得した楽曲を前記第２の通信インタフェースを介して前記ＡＶ装置にストリーミングする楽曲ストリーミング手段と、前記ＡＶ装置から前記第１の通信インタフェースを介して、前記モバイル装置に記憶されている静止画像の転送を要求されたときに、前記第３の通信インタフェースを介して前記モバイル装置から転送を要求された静止画像を取得する静止画像取得手段と、前記静止画像取得手段が前記モバイル装置から取得した静止画像を各画像フレームの一部として共通に含めたビデオを前記第２の通信インタフェースを介して前記ＡＶ装置にストリーミングするビデオ化転送手段と、前記ビデオ化転送手段が転送するビデオの画像フレーム中の前記静止画像の部分の座標範囲を表す座標範囲情報を前記第１の通信インタフェースを介して前記ＡＶ装置に送信する座標範囲情報通知手段とを備えたものである。また、前記ＡＶ装置は、前記第１の通信インタフェースを介して前記インタフェース装置に前記モバイル装置に記憶されている楽曲の再生を要求する再生要求手段と、前記第２の通信インタフェースを介して前記インタフェース装置からストリーミングされた楽曲を再生出力する再生出力手段と、前記第１の通信インタフェースを介して前記インタフェース装置に前記モバイル装置に記憶されている前記静止画像の転送を要求する静止画像要求手段と、前記第２の通信インタフェースを介して前記インタフェース装置からストリーミングされたビデオの画像フレームの、前記第１の通信インタフェースを介して前記インタフェース装置から受信した前記座標範囲情報が示す座標範囲中の部分を、前記転送を要求した静止画像として抽出する静止画像抽出手段とを備えたものである。
【００１２】
ここで、このような情報処理システムは、前記第２の通信インタフェースを介した前記インタフェース装置から前記ＡＶ装置へのビデオのストリーミングを、前記第２の通信インタフェースを介した前記インタフェース装置から前記ＡＶ装置への楽曲のストリーミングと並行して行うものとすることが好ましい。
【発明の効果】
【００１３】
以上のように、本発明によれば、汎用データ通信用のインタフェースとして低速な通信インタフェースしか用いることができない二つの装置間の静止画像の転送を、より速やかに行うことができる。
【図面の簡単な説明】
【００１４】
【図１】本発明の実施形態に係る車載装置の構成を示すブロック図である。
【図２】本発明の実施形態に係る静止画像の処理例を示す図である。
【図３】本発明の実施形態に係る静止画像取得処理を示すフローチャートである。
【図４】本発明の実施形態に係る静止画像転送処理を示すフローチャートである。
【図５】本発明の実施形態に係る静止画像の取得シーケンスを示す図である。
【発明を実施するための形態】
【００１５】
以下、本発明の実施形態について説明する。
図１に、本実施形態に係る情報処理システムの構成を示す。
図示するように、情報処理システム、車載装置１と、車載装置１に接続されたインタフェース装置２と、インタフェース装置２に選択的に接続されるモバイル装置３とより構成される。
【００１６】
車載装置１とインタフェース装置２は自動車に固定的に搭載される装置であり、車載装置１は、自動車のダッシュボード等に搭載される。また、モバイル装置３は、ポータブルオーディオプレイヤやスマートフォンやタブレット装置等のユーザが携帯可能な装置である。
【００１７】
ここで、車載装置１とインタフェース装置２とは、シリアル通信インタフェースなどの双方向の汎用的なデータ通信に用いることのできる比較的低速な通信インタフェースである低速インタフェースと、主としてビデオとオーディオのストリーミングを行うための通信インタフェースであるHDMI(登録商標）( High-Definition Multimedia Interface)との二つの通信インタフェースで接続されている。ビデオ/オーディオのストリーミングとは、受信側において、ビデオ/オーディオを受信しつつ再生できるように、ビデオ/オーディオをリアルタイムに転送するものである。
【００１８】
また、インタフェース装置２とモバイル装置３は、USBなどの双方向の汎用的なデータ通信に用いることのできる比較的高速な通信インタフェースである高速インタフェースで接続される。
【００１９】
さて、図示するように車載装置１は、入力装置１０１、表示装置１０２、マイクやスピーカなどを備えた音声入出力装置１０３、記憶装置１０４、その他の周辺装置１０５、車載装置１のオペレーティングシステム１０６、オペレーティングシステム１０６によって管理されオペレーティングシステム１０６上で稼働するアプリケーション、HDMIを用いたシンク側の通信処理を行うHDMIポート１０７、低速インタフェースを用いた通信処理を行う低速インタフェースポート１０８とを備えている。
【００２０】
また、車載装置１は、上述したアプリケーションとして、ミュージックプレイヤアプリケーション１１０や、ナビゲーションアプリケーション１１１や、その他のアプリケーション１１３を備えている。
【００２１】
次に、インタフェース装置２は、HDMIを用いたソース側の通信処理を行うHDMIポート２０１、低速インタフェースを用いた通信処理を行う低速インタフェースポート２０２、高速インタフェースを用いた通信処理を行う高速インタフェースポート２０３、制御部２０４、ストリーミング処理部２０５、静止画像変換部２０６を備えている。
【００２２】
さて、このような構成において、インタフェース装置２は、車載装置１のモバイル装置３の利用を仲介する装置であり、車載装置１は、インタフェース装置２を介してモバイル装置３の動作を制御したり、インタフェース装置２を介してモバイル装置３からオーディオやビデオのストリーミングを受けて音声入出力装置１０３や表示装置１０２に再生出力したり、インタフェース装置２を介してモバイル装置３から静止画像や各種情報を取得して表示装置１０２に表示する処理などを行うことができる。
【００２３】
たとえば、車載装置１のミュージックプレイヤアプリケーション１１０は、以下のようにしてモバイル装置３からオーディオのストリーミングを受けて、音声入出力装置１０３に再生出力を行う。
【００２４】
すなわち、車載装置１のミュージックプレイヤアプリケーション１１０は、まず、低速インタフェースポート１０８を介してインタフェース装置２に楽曲情報の転送要求を送信する。
【００２５】
インタフェース装置２の制御部２０４は低速インタフェースポート２０２を介して楽曲情報の転送要求を受け取ったならば、高速インタフェースポート２０３を介してモバイル装置３に楽曲情報の転送コマンドを発行する。モバイル装置３は、楽曲情報の転送コマンドを受け取ると、モバイル装置３に記憶されている各楽曲のタイトルやアルバムやアーチストといった楽曲の情報を高速インタフェースを介してインタフェース装置２に送信し、楽曲の情報を高速インタフェースポート２０３を介して受け取ったインタフェース装置２は、低速インタフェースポート２０２を介して楽曲の情報を車載装置１のミュージックプレイヤアプリケーション１１０に送信する。
【００２６】
楽曲の情報をインタフェース装置２から低速インタフェースポート１０８を介して受け取った車載装置１のミュージックプレイヤアプリケーション１１０は、楽曲の情報の一覧を表示装置１０２に表示し、再生する楽曲群の選択を入力装置１０１を介してユーザから受け付ける。そして、再生する楽曲群の選択を受け付けたならば、ミュージックプレイヤアプリケーション１１０は、選択された楽曲群を再生対象楽曲群として、低速インタフェースポート１０８を介してインタフェース装置２に再生対象楽曲群の再生要求を送信する。
【００２７】
インタフェース装置２の制御部２０４は低速インタフェースポート２０２を介して再生対象楽曲群の再生要求を受信したならば、高速インタフェースポート２０３を介してモバイル装置３に再生対象楽曲群の再生コマンドを発行する。モバイル装置３は、再生対象楽曲群の再生コマンドを受け取ると、再生対象楽曲群の先頭の楽曲から順次、再生対象楽曲群の各楽曲のオーディオデータを高速インタフェースを介してインタフェース装置２に送信する。
【００２８】
インタフェース装置２のストリーミング処理部２０５は、モバイル装置３から高速インタフェースポート２０３を介してオーディオデータを受け取り、受け取ったオーディオデータを、HDMIポート２０１を介して車載装置１のミュージックプレイヤアプリケーション１１０にストリーミングする。なお、HDMIのオーディオデータのストリーミングは、HDMIのデータアイランド周期にオーディオ伝送用のパケットを用いて行われる。
【００２９】
そして、HDMIポート１０７を介してオーディオデータのストリーミングを受けた車載装置１のミュージックプレイヤアプリケーション１１０は、ストリーミングされたオーディオデータを音声入出力装置１０３に再生出力する。
【００３０】
また、車載装置１のミュージックプレイヤアプリケーション１１０は、ストリーミングされたオーディオデータを音声入出力装置１０３に再生出力している期間中、図２ａに示すように、再生中の楽曲の情報４１や、再生対象楽曲群に含まれる楽曲のリスト４２や、再生中の楽曲のアートワーク４３や、ユーザの再生制御操作を受け付けるための各種ボタン４４を配置したコントロールウインドウを表示装置１０２に表示し、ボタンで受け付けたユーザの再生制御操作に応じた再生動作を行う。
【００３１】
さて、図２ａに示したコントロールウインドウの楽曲のアートワーク４３は楽曲に関連づけられてモバイル装置３に記憶されている静止画像であり、一般的には楽曲のディスクジャケットのジャケットアート/ジャケット写真が用いられる。
【００３２】
ここで、車載装置１のミュージックプレイヤアプリケーション１１０や、他のアプリケーション１１３は、以上のアートワーク４３のような静止画像のモバイル装置３からの取得を、以下に示す静止画像取得処理を実行することにより行う。また、インタフェース装置２の制御部２０４は、以下に示す静止画像転送処理を実行することにより、車載装置１の各アプリケーションの静止画像のモバイル装置３からの取得を仲介する。
【００３３】
まず、車載装置１のアプリケーションが行う静止画像取得処理について説明する。
図３に示す、この静止画像取得処理の手順を示す。
図示するように、静止画像取得処理において、車載装置１のアプリケーションは、まず、低速インタフェースポート１０８を介してインタフェース装置２に、転送を要求する静止画像を特定する画像特定情報を含めた静止画像の転送要求をインタフェース装置２に送信する（ステップ３０２）。
【００３４】
そして、低速インタフェースポート１０８を介してインタフェース装置２から、静止画像座標情報を受信するのを待つ（ステップ３０４）。ここで、静止画像座標情報には、座標の範囲を特定する情報が含まれる。
【００３５】
次に、静止画像座標情報を受信したならば（ステップ３０４）、インタフェース装置２からストリーミングされ、HDMIポート１０７で受信されたビデオを構成する画像フレームのうちの任意の画像フレームの、静止画像座標情報が示す座標範囲内の画像部分を静止画像として抽出し、モバイル装置３からの取得した静止画像とする（ステップ３０６）。なお、インタフェース装置２から車載装置１へのビデオのストリーミングはHDMIのビデオデータ周期を用いて行われる。
【００３６】
そして、低速インタフェースポート１０８を介してインタフェース装置２に、受信完了通知を送信し（ステップ３０８）、静止画像取得処理を終了する。
以上、車載装置１のアプリケーションが行う静止画像取得処理について説明した。
次に、インタフェース装置２の制御部２０４が行う静止画像転送処理について説明する。
図４に、静止画像転送処理の手順を示す。
図示するように、インタフェース装置２の制御部２０４は、低速インタフェースポート２０２を介して車載装置１のアプリケーションから、静止画像の転送要求を受け取ったならば（ステップ４０２）、高速インタフェースポート２０３を介してモバイル装置３に、転送要求に含まれる画像特定情報を含めた静止画像転送コマンドを送信する（ステップ４０４）。
【００３７】
ここで、モバイル装置３は、インタフェース装置２から静止画像転送コマンドを受信したならば、画像特定情報で特定される静止画像を、モバイル装置３に記憶されている静止画像の内から読み出して高速インタフェースを介してインタフェース装置２に転送する。
【００３８】
次に、インタフェース装置２の制御部２０４は、静止画像転送コマンドの応答としてモバイル装置３から高速インタフェースポート２０３を介して静止画像を受け取ったならば（ステップ４０６）、静止画像変換部２０６に受け取った静止画像を含めた画像フレームを作成させる（ステップ４０８）。ここで、静止画像変換部２０６が作成する画像フレームの大きさは、HDMIで車載装置１に送信するビデオの画像サイズ（一般には車載装置１の表示装置１０２に適合する画像サイズ）とする。そして、静止画像変換部２０６は、静止画像の画像サイズが、画像フレームの画像サイズより小さい場合には、図４ｂに示すように、静止画像５１０を、画像フレーム５００の一部の画像部分を構成するように含めて画像フレーム５００を作成する。また、静止画像変換部２０６は、静止画像５１０の画像サイズが、画像フレーム５００の画像サイズより大きい場合には、静止画像５１０を、静止画像５１０の画像サイズが、画像フレーム５００の画像サイズより小さくなるようにリサイズした上で、画像フレーム５００中に含めて画像フレーム５００を作成する。
【００３９】
ただし、静止画像変換部２０６による画像フレーム５００の作成は、静止画像５１０を、静止画像５１０の画像サイズを予め定めた画像サイズにリサイズして、画像フレーム５００中に含めることにより行うようにしてもよい。
【００４０】
または、静止画像変換部２０６による画像フレーム５００の作成は、静止画像５１０の画像サイズを静止画像５１０の転送要求中で車載装置１のアプリケーションから指定された画像サイズにリサイズして、静止画像５１０を画像フレーム５００中に含めることにより行うようにしてもよい。ただし、この場合には、車載装置１のアプリケーションは、静止画像５１０の転送要求において、静止画像５１０の画像サイズとして、当該静止画像５１０の用途に応じた画像サイズを指定するようにする。
【００４１】
図４に戻り、次に、インタフェース装置２の制御部２０４は、ストリーミング処理部２０５に作成された画像フレーム５００を繰り返すビデオのHDMIポート２０１を介した車載装置１へのストリーミングを開始させる（ステップ４１０）。すなわち、ストリーミング処理部２０５に、図２ｃに示すように、静止画像変換部２０６が作成した画像フレーム５００を繰り返すビデオをHDMIポート２０１を介して車載装置１にストリーミングさせる。
【００４２】
そして、ステップ４０８で作成した画像フレーム５００中の、ステップ４０６で受け取った静止画像５１０の座標範囲を表す静止画像座標情報を生成し低速インタフェースポート２０２を介して、車載装置１の静止画像５１０の転送要求の発行元のアプリケーションに送信する（ステップ４１２）。
【００４３】
すなわち、図２ｂに示すように、静止画像５１０を含めた、Xm×Ymサイズの画像フレーム５００を作成した場合には、Ｘ方向の静止画像５１０の座標範囲の始点Xpsと終点Xpeと、Ｙ方向の静止画像５１０の座標範囲の始点Ypsと終点Ypeとの座標の情報を静止画像座標情報として生成し送信する。但し、図２ｄに示すように、画像フレーム５００と静止画像５１０のＸ方向の始点と、Ｙ方向の始点とを一致させた場合には、Ｘ方向の静止画像５１０のサイズXpとＹ方向の静止画像５１０のサイズYpで、画像フレーム５００中の静止画像５１０の座標範囲は特定できるので、この場合には、画像フレーム５００に含めた静止画像５１０のＸ方向、Ｙ方向の画像サイズを静止画像座標情報として生成し送信するようにしてもよい。
【００４４】
図４に戻り、次に、インタフェース装置２の制御部２０４は、低速インタフェースポート２０２を介して、車載装置１のアプリケーションから受信完了通知を受信するのを待ち（ステップ４１４）、受信完了通知を受信したならば、ストリーミング処理部２０５にビデオのHDMIポート２０１を介した車載装置１へのストリーミングを終了させた上で（ステップ４１６）、ステップ４０２に戻って次の静止画像５１０の転送要求の受信を待つ。
【００４５】
以上、インタフェース装置２の制御部２０４が行う静止画像転送処理について説明した。
以下、このような車載装置１のアプリケーションが行う静止画像取得処理とインタフェース装置２の制御部２０４が行う静止画像転送処理による、車載装置１のアプリケーションのモバイル装置３からの静止画像５１０の取得シーケンスを図５に示す。
【００４６】
図示するように、車載装置１が低速インタフェースポート１０８を介してインタフェース装置２に静止画像５１０の転送要求をインタフェース装置２に送信すると（Ｓ５０１）、インタフェース装置２から高速インタフェースポート２０３を介してモバイル装置３に静止画像転送コマンドが送信される（Ｓ５０２）。そして、静止画像転送コマンドに応答して、モバイル装置３から高速インタフェースを介して静止画像５１０がインタフェース装置２に転送される（Ｓ５０３）。
【００４７】
インタフェース装置２は転送された静止画像５１０を含めた画像フレーム５００を生成し（Ｓ５０４）、生成した画像フレーム５００を繰り返すビデオの、HDMIを介したストリーミングを開始する（Ｓ５０５）。なお、生成した画像フレーム５００を繰り返すビデオのHDMIを介した車載装置１へのストリーミングを行っている期間中も、上述したような楽曲のオーディオデータの車載装置１へのHDMIを介したストリーミングは並行して行われる。
【００４８】
そして、インタフェース装置２は、静止画像５１０の画像フレーム５００中の座標範囲を表す静止画像座標情報を低速インタフェースポート２０２を介して車載装置１に送信する（Ｓ５０６）。
【００４９】
静止画像座標情報を受け取った車載装置１は、HDMIでインタフェース装置２から受信したビデオを構成する画像フレーム５００のうちの任意の画像フレーム５００の、静止画像座標情報が示す座標範囲内の画像部分を静止画像５１０として抽出し、モバイル装置３からの取得した静止画像５１０とする（Ｓ５０７）。この結果、Ｓ５０３でモバイル装置３がインタフェース装置２に転送した静止画像５１０がHDMIでインタフェース装置２からストリーミングされているビデオ中から車載装置１におい切り出されて取得されることとなる。
【００５０】
そして、車載装置１は、低速インタフェースポート１０８を介してインタフェース装置２に受信完了通知を送信し（Ｓ５０８）、受信完了通知を受信したインタフェース装置２はビデオのHDMIを用いた車載装置１へのストリーミングを終了する（Ｓ５０９）。
【００５１】
以上、本発明の実施形態について説明した。
以上のように、本実施形態によれば、インタフェース装置２は、汎用の双方向データ通信用のインタフェースとして低速インタフェースにのみ対応している車載装置１に対して、モバイル装置３から取得した静止画像５１０を、HDMIを用いて高速に転送することができる。
【００５２】
なお、本実施形態は、HDMIに代えて、その他のビデオ伝送用の通信インタフェースを用いるようにしてもよい。また、本実施形態は、車載装置１に代えて、ＡＶ装置等の任意の装置を備えた情報処理システムに同様に適用することができる。
【符号の説明】
【００５３】
１…車載装置、２…インタフェース装置、３…モバイル装置、４１…情報、４２…リスト、４３…アートワーク、４４…種ボタン、１０１…入力装置、１０２…表示装置、１０３…音声入出力装置、１０４…記憶装置、１０５…周辺装置、１０６…オペレーティングシステム、１０７…HDMIポート、１０８…低速インタフェースポート、１１０…ミュージックプレイヤアプリケーション、１１１…ナビゲーションアプリケーション、１１３…アプリケーション、２０１…HDMIポート、２０２…低速インタフェースポート、２０３…高速インタフェースポート、２０４…制御部、２０５…ストリーミング処理部、２０６…静止画像変換部、５００…画像フレーム、５１０…静止画像。
【図１】
2016076768.tif 000003
【図２】
2016076768.tif 000004
【図３】
2016076768.tif 000005
【図４】
2016076768.tif 000006
【図５】
2016076768.tif 000007